(57)【要約】【課題】有機性廃棄物の有効利用を図ることができ、しかも電力費を低減することができるバイオガス利用設備および電力費低減方法を提供する。【解決手段】有機性廃棄物をメタン発酵させてバイオガスを発生させるメタン発酵槽２と、このメタン発酵槽２で発生したバイオガスを用いて発電する発電装置５とを備えたバイオガス利用設備１において、メタン発酵槽２で発生したバイオガスを貯留するガスホルダ３と、バイオガスを用いた発電の休止時にメタン発酵槽２で発生したバイオガスをガスホルダ３内に貯留させる一方、バイオガスを用いた発電時に、ガスホルダ３内のバイオガスを発電装置５に供給させる制御を行う制御手段とを備える。ガスホルダ３は、バイオガスを用いた発電の休止時にメタン発酵槽２で発生するバイオガスを全量貯留可能にその容量が設定され、発電装置５は、ガスホルダ３に貯留されたバイオガスを予め設定された発電時間帯で処理可能にその処理能力が設定されている。【選択図】　　　　図２
2004011513.tif 000002
【特許請求の範囲】
【請求項１】
有機性廃棄物をメタン発酵させてバイオガスを発生させるメタン発酵槽と、このメタン発酵槽で発生したバイオガスを用いて発電する発電装置とを備えた廃棄物処理施設におけるバイオガス利用設備において、
上記メタン発酵槽で発生したバイオガスを貯留するガスホルダと、
上記バイオガスを用いた発電の休止時に上記メタン発酵槽で発生したバイオガスを上記ガスホルダ内に貯留させる一方、上記バイオガスを用いた発電時に、上記ガスホルダ内のバイオガスを上記発電装置に供給させる制御を行う制御手段とを備えてなり、
上記ガスホルダは、上記バイオガスを用いた発電の休止時に上記メタン発酵槽で発生するバイオガスを全量貯留可能にその容量が設定され、
上記発電装置は、上記ガスホルダに貯留されたバイオガスを予め設定された発電時間帯で処理可能にその処理能力が設定されていることを特徴とする廃棄物処理施設におけるバイオガス利用設備。
【請求項２】
上記発電装置の駆動装置として、バイオガスと油の双方にて運転可能な複合燃料ガスエンジンを用いたことを特徴とする請求項１に記載の廃棄物処理施設におけるバイオガス利用設備。
【請求項３】
上記発電装置の駆動装置として、バイオガスを燃料とするガスエンジンと、上記バイオガス以外の化石燃料を用いて発電する駆動装置とを備えたことを特徴とする請求項１に記載の廃棄物処理施設におけるバイオガス利用設備。
【請求項４】
請求項１〜３のいずれかに記載の廃棄物処理施設における電力費低減方法であって、
１日の中で電力料金の高い特定時間帯を上記発電時間帯として上記発電装置を稼働させる一方、これ以外の時間帯に上記発電装置を休止させることによって、上記電力使用量から上記発電装置による自家発電量を差し引いた買電量を上記特定時間帯において減少させ、これによって、上記廃棄物処理施設の電力費を低減するようにしたことを特徴とする廃棄物処理施設における電力費低減方法。
【請求項５】
請求項１〜３のいずれかに記載の廃棄物処理施設における電力費低減方法であって、
上記廃棄物処理施設において電力使用量が１日の中でピークとなる時間帯を上記発電時間帯として上記発電装置を稼働させる一方、これ以外の時間帯に上記発電装置を休止させることによって、上記電力使用量から上記発電装置による自家発電量を差し引いた買電量を１日を通して平準化し、これによって、上記廃棄物処理施設の電力費を低減するようにしたことを特徴とする廃棄物処理施設における電力費低減方法。
【発明の詳細な説明】
【０００１】
【発明の属する技術分野】
本発明は、し尿、浄化槽汚泥、生ゴミ等の有機性廃棄物を処理する廃棄物処理施設におけるバイオガス利用設備および電力費低減方法に関するものである。
【０００２】
【従来の技術】
廃棄物の排出量は、一般廃棄物については増加傾向が収まりつつあるものの、産業廃棄物については未だ増加傾向にある。このような廃棄物の増加に対応して、近年では、廃棄物の有効利用を図るべく種々の試みがなされている。例えば、し尿、浄化槽汚泥、生ゴミ等の有機性廃棄物を処理する廃棄物処理施設においては、上記有機性廃棄物をメタン発酵させてバイオガスを発生させ、このバイオガスを燃やして得られる熱を発電に用いたり、有機性廃棄物をそのまま、あるいは処理後の汚泥を肥料等に製造し緑農地等に還元する事例が徐々に多くなってきている。
【０００３】
この廃棄物処理施設におけるバイオガス利用設備に用いられる発電装置としては、バイオガスのみを燃料とするガスエンジンが一般的である。また、通常は、ガスエンジンを２４時間連続稼働させて、有機性廃棄物の処理過程で発生するバイオガスを、その発生とほぼ同時に処理することにより、ガスエンジンの小型化を図り、これによって、装置コストを低減するようにしている。このため、この種の廃棄物処理施設においては、図５に示すように、自家発電量が時刻に関係なくほぼ一定となる。これに対して、廃棄物処理施設における電力使用量は、夜間に比べ昼間が極端に多くなる傾向がある。その理由としては、▲１▼有機性廃棄物の収集や処理施設への搬入が昼間である、▲２▼有機性廃棄物を貯留する貯留槽等の容量に余裕がなく、搬入された有機性廃棄物を速やかに処理しなければならない、▲３▼有機性廃棄物の処理が全自動化されておらず、大部分の処理が作業員の勤務時間帯となる昼間に行われる等の理由が挙げられる。
【０００４】
【発明が解決しようとする課題】
しかしながら、上記従来の廃棄物処理施設においては、上述したように、自家発電量が時刻に関係なくほぼ一定となるのに対して、電力使用量が昼間にピークを迎えることから、電力使用量から自家発電量を差し引いた買電量が電力料金の高い昼間に集中することとなり、その結果、電力費が嵩み、廃棄物処理施設の運転コストが増大するという問題点があった。
【０００５】
本発明は、かかる事情に鑑みてなされたもので、有機性廃棄物の有効利用を図ることができ、しかも電力費を低減することができるバイオガス利用設備および電力費低減方法を提供することを目的とする。
【０００６】
【課題を解決するための手段】
請求項１に記載の発明は、有機性廃棄物をメタン発酵させてバイオガスを発生させるメタン発酵槽と、このメタン発酵槽で発生したバイオガスを用いて発電する発電装置とを備えた廃棄物処理施設におけるバイオガス利用設備において、
上記メタン発酵槽で発生したバイオガスを貯留するガスホルダと、
上記バイオガスを用いた発電の休止時に上記メタン発酵槽で発生したバイオガスを上記ガスホルダ内に貯留させる一方、上記バイオガスを用いた発電時に、上記ガスホルダ内のバイオガスを上記発電装置に供給させる制御を行う制御手段とを備えてなり、
上記ガスホルダは、上記バイオガスを用いた発電の休止時に上記メタン発酵槽で発生するバイオガスを全量貯留可能にその容量が設定され、
上記発電装置は、上記ガスホルダに貯留されたバイオガスを予め設定された発電時間帯で処理可能にその処理能力が設定されていることを特徴とするものである。
【０００７】
ここで、バイオガスとは、し尿、浄化槽汚泥、生ゴミ等の有機性廃棄物がメタン細菌等の嫌気性細菌類の作用によってメタン発酵する際に発生するガスのことをいい、その主成分はメタンガスである。
【０００８】
この請求項１に記載の本発明に係るバイオガス利用設備によれば、有機性廃棄物をメタン発酵させてバイオガスを発生させ、このバイオガスを用いて発電するので、有機性廃棄物の有効利用を図ることができる。
また、バイオガスを用いた発電の休止時にメタン発酵槽で発生するバイオガスを全量貯留可能にガスホルダの容量が設定されているとともに、このガスホルダに貯留されたバイオガスを予め設定された発電時間帯で処理可能に発電装置の処理能力が設定されているので、バイオガスを用いた発電の休止時にメタン発酵槽で発生するバイオガスをガスホルダ内に全量貯留することができるとともに、このガスホルダ内に貯留されたバイオガスを発電燃料として上記発電時間帯に集中して使用することができる。
したがって、メタン発酵槽で発生したバイオガスを使用して自家発電を行う時間帯を適宜調整することができ、電力料金の料金体系に基づいて上記発電時間帯を調整することによって、電力費を低減することができる。
【０００９】
請求項２に記載の発明は、請求項１に記載の発電装置の駆動装置として、バイオガスと油の双方にて運転可能な複合燃料ガスエンジンを用いたことを特徴とするものである。
【００１０】
この請求項２に記載の発明によれば、発電装置の駆動装置として、バイオガスと油の双方にて運転可能な複合燃料ガスエンジンを用いるようにしたので、バイオガスと重油や灯油等の油を使用することにより、発電装置による自家発電量を適宜調整することが可能になる。したがって、廃棄物処理量の変動に対応して増減するバイオガスの発生量に影響を受けることなく、安定した発電量を確保することができる。また、停電時等の非常時や緊急時においても、当該廃棄物処理施設内の各種機器に最低限必要な電力を供給し続けることができる。
【００１１】
請求項３に記載の発明は、請求項１に記載の発電装置の駆動装置として、バイオガスを燃料とするガスエンジンと、上記バイオガス以外の化石燃料を用いて発電する駆動装置とを備えたことを特徴とするものである。
ここで、バイオガス以外の化石燃料としては、油、液化天然ガス（ＬＰＧ）、液化石油ガス（ＬＮＧ）、石炭等が挙げられ、上記駆動装置としては、ガスエンジン、ディーゼルエンジン、ガスタービンなどが挙げられる。なお、上記駆動装置として、安価な重油や灯油等の油を燃料とし、かつ発電効率の高いディーゼルエンジンを用いるようにすれば、燃料費を抑制して駆動装置による発電コストを低減することができる。
【００１２】
この請求項３に記載の発明によれば、発電装置の駆動装置として、バイオガスを燃料とするガスエンジンと、バイオガス以外の化石燃料を用いて発電する駆動装置とを備えるので、バイオガスの発生量が変動してガスエンジンによる発電量が不足したとしても、バイオガス以外の化石燃料を使用して駆動装置で発電することにより、発電量の不足分を補うことができ、所望の発電量を必要なときに確保することができる。また、停電時等の非常時や緊急時においても、当該廃棄物処理施設内の各種機器に最低限必要な電力を供給し続けることができる。
【００１３】
請求項４に記載の発明は、請求項１〜３のいずれかに記載の廃棄物処理施設における電力費低減方法であって、
１日の中で電力料金の高い特定時間帯を上記発電時間帯として上記発電装置を稼働させる一方、これ以外の時間帯に上記発電装置を休止させることによって、上記電力使用量から上記発電装置による自家発電量を差し引いた買電量を上記特定時間帯において減少させ、これによって、上記廃棄物処理施設の電力費を低減するようにしたことを特徴とするものである。
【００１４】
この請求項４に記載の発明によれば、ガスエンジンを２４時間連続稼働させて常に一定量の自家発電を行う従来の方法と比べて、買電量の平均単価を引き下げることができ、廃棄物処理施設における電力費を低減することができる。
【００１５】
請求項５に記載の発明は、請求項１〜３のいずれかに記載の廃棄物処理施設における電力費低減方法であって、
上記廃棄物処理施設において電力使用量が１日の中でピークとなる時間帯を上記発電時間帯として上記発電装置を稼働させる一方、これ以外の時間帯に上記発電装置を休止させることによって、上記電力使用量から上記発電装置による自家発電量を差し引いた買電量を１日を通して平準化し、これによって、上記廃棄物処理施設の電力費を低減するようにしたことを特徴とするものである。
【００１６】
この請求項５に記載の発明によれば、ガスエンジンを２４時間連続稼働させて常に一定量の自家発電を行う従来の方法と比べて、買電量の平均単価を引き下げることができ、廃棄物処理施設における電力費を低減することができる。また、電力需要の変動が緩和されることから、電力供給会社にとっても電力供給の負荷が軽減される。
【００１７】
【発明の実施の形態】
図１は、本発明に係るバイオガス利用設備の一実施形態を示すもので、図中符号１がバイオガス利用設備である。
このバイオガス利用設備１は、有機性廃棄物を受け入れてメタン発酵の原料を作製する投入調整槽４と、この投入調整槽４から送られる原料をメタン発酵させてバイオガスを発生させる一対のメタン発酵槽２と、これらメタン発酵槽２でメタン発酵を終えた消化汚泥や凝集汚泥を貯留する消化汚泥貯留槽８と、この消化汚泥貯留槽８やメタン発酵槽２で発生したバイオガスを貯留するガスホルダ３と、このガスホルダ３から供給されるバイオガスを用いて発電する発電装置５とを備えている。
【００１８】
投入調整槽４は、し尿および浄化槽汚泥等の前処理汚泥、生物処理設備からの余剰汚泥、生ゴミ等の有機性廃棄物を受け入れて十分に混合し、これを希釈して濃度調整等を行うことにより、メタン発酵の原料を作製する。作製された原料は投入ポンプ１９によってメタン発酵槽２に移送される。
【００１９】
メタン発酵槽２は、槽内の温度が３４〜３８度、ｐＨが７〜８程度に保持され、投入調整槽４から送られた原料の滞在日数が６〜１５日となるようにその容量が設定されている。各メタン発酵槽２内においては、それぞれ異なる嫌気性細菌類が生息し、それら嫌気性細菌類の作用によって効率よくメタン発酵が行われるようになっている。各メタン発酵槽２には、当該メタン発酵槽２内と熱交換器９との間において発酵液を循環させる循環路１３が設けられ、この循環路１３に流入した発酵液が熱交換器９を通過する過程で、廃熱ボイラ１０および温水ボイラ１１から得られる熱を吸収するようになっている。また、各メタン発酵槽２や消化汚泥貯留槽８の内部には、ガスホルダ３からブロワ２０、２１によって供給されたバイオガスを放出する放出部１４、１５がそれぞれ設けられ、それら放出部１４、１５から放出されるバイオガスによって、各槽内の発酵液または消化汚泥が撹拌されるようになっている。
【００２０】
ガスホルダ３は、バイオガスを用いた発電の休止時にメタン発酵槽２で発生するバイオガスを全量貯留可能にその容量が設定されている。このガスホルダ３の出力側には、メタン発酵槽２等に撹拌用のバイオガスを供給するためのバイオガス供給ラインと、発電装置５等に発電用のバイオガスを供給するためのバイオガス供給ラインとが設けられている。発電用のバイオガスは、ブースター１６を作動させることにより、脱硫装置６および逆火防止装置７を経由して、発電装置５、温水ボイラ１１および余剰ガス燃焼装置１２に供給される。また、ブースター１６の稼働を停止させることによって、発電用のバイオガスの供給が停止される。すなわち、発明に係る制御手段がブースター１６等によって構成されている。
【００２１】
発電装置５は、バイオガスを燃料とする駆動装置５Ａと、この駆動装置５Ａによる駆動により電気エネルギーを発生する発電機５Ｂとを備えている。この発電装置５は、後述するように、バイオガスを用いた発電を行う発電時間帯とバイオガスを用いた発電を休止する休止時間帯が予め設定され、この設定に基づいて、所望の処理能力を有するものが選定されている。すなわち、上記休止時間帯にガスホルダ３内に貯留されたバイオガスを上記発電時間帯で処理可能に発電装置５の処理能力が設定されている。
【００２２】
この発電装置５の駆動装置５Ａとしては、バイオガスを燃料とするガスエンジンを用いることが可能であるが、バイオガスと油の双方の燃料にて運転可能なガス油混焼式の複合燃料ガスエンジン（デュアル・フュエルエンジン）を用いるようにしてもよい。この場合、バイオガスの発生量が変動してバイオガスによる発電量が不足したとしても、燃料に重油や灯油等の油を使用することにより、バイオガスによる発電量の不足分を補うことができ、所望の発電量を容易に確保することができる。また、停電時等の非常時や緊急時においても、当該廃棄物処理施設内の各種機器に最低限必要な電力を供給し続けることができる。なお、発電装置５の駆動装置５Ａとして、バイオガスを燃料とするガスエンジンと、油を燃料とするディーゼルエンジン（駆動装置）とを併せて用いるようにしても、上記と同様の効果が得られる。
【００２３】
上記構成からなるバイオガス利用設備１においては、投入調整槽４に投入された有機性廃棄物が混合および濃度調整された後、メタン発酵槽２でメタン発酵され、このメタン発酵を終えた消化汚泥が消化汚泥ポンプ１７により消化汚泥貯留槽８に移送されて貯留される一方、メタン発酵の結果として発生したバイオガスがガスホルダ３に移送されて貯留される。
消化汚泥貯留槽８内の消化汚泥は、水処理設備からの凝縮汚泥と十分に混合されて、供給ポンプ１８で脱水機等に移送された後、コンポスト等の資源化に供される。
【００２４】
一方、ガスホルダ３内のバイオガスは、一部が撹拌用としてメタン発酵槽２および消化汚泥貯留槽８に環流され、残りの大部分がブースター１６によって脱硫装置６に送られて脱硫が行われた後、ガスの逆火を防止する逆火防止装置７を経由して、発電装置５や温水ボイラ１１等に供給される。発電装置５にて得られた電力は、処理施設内の機器類の稼働等に使用され、駆動装置５Ａからの廃熱ボイラ１０や温水ボイラ１１にて得られた温水は、メタン発酵槽２やコンポスト化装置の加温および乾燥機の熱源等に使用される。
【００２５】
次に、廃棄物処理施設における電力費低減方法の一実施形態について説明する。
先ず、バイオガスを用いて発電を行う発電時間帯とバイオガスを用いた発電を休止する休止時間帯とを決定する。例えば、１日の中で電力料金が相対的に高い時間帯が９時〜１７時となる場合には、この時間帯を発電時間帯としてバイオガスを用いた発電を行う一方、これ以外の時間帯（１７時〜９時）を休止時間帯として、バイオガスを用いた発電を休止するようにする。また、上記発電時間帯には、ブースター１６を稼働させてバイオガスの供給を行う一方、上記休止時間帯には、ブースター１６の稼働を停止させてメタン発酵槽２で発生したバイオガスをガスホルダ３内に貯留する制御を行うようにする。
【００２６】
次いで、上記休止時間帯にメタン発酵槽２で発生するバイオガスの量を導き出し、この発生量に基づいてガスホルダ３の容量を設定する。
そして、上記休止時間帯にガスホルダ３内に貯留されるバイオガスの量と上記発電時間帯との関係から、単位時間当たりのバイオガスの処理量（発電装置５に投入するバイオガスの量）を導き出し、この処理量に基づいて、所望の処理能力を有する発電装置５を選定する。これにより、上記休止時間帯にメタン発酵槽２で発生するバイオガスをガスホルダ３に全量貯留することができるとともに、このガスホルダ３内に貯留されたバイオガスを発電燃料として上記発電時間帯に集中して使用することができる。
【００２７】
このような設定条件の下でバイオガス利用設備１を運転すると、１日の中で電力料金が相対的に高い時間帯である９時〜１７時において集中的に自家発電が行われ、電力使用量から自家発電量を差し引いた買電量がその時間帯において減少する。その結果、１日の中で電力料金が相対的に安い夜間および深夜に買電量の比重が高まり、買電量の平均単価が引き下げられる。そのため、廃棄物処理施設における電力費を低減することができる。
【００２８】
なお、上記実施の形態においては、１日の中で電力料金の高い特定時間帯を上記発電時間帯として設定したが、上記特定時間帯以外の時間帯を上記発電時間帯として設定することも可能である。例えば、単位時間あたりの電力使用量が一定値を超えたときに電力料金が高くなるような料金体系が採用されている場合には、廃棄物処理施設において電力使用量が１日の中でピークとなる時間帯を上記発電時間帯として設定する。すると、１日を通して買電量を平準化することができ、その結果として、廃棄物処理施設の電力費を低減することができる。また、この場合には、電力需要の変動が緩和されることから、電力供給会社にとっても電力供給の負荷が軽減されることとなる。
【００２９】
さらに、上記電力費低減方法を実施すると同時に、有機性廃棄物の貯留槽の増量・増設、廃棄物処理施設内の各種機器の全自動化、各種制御機器の仕様アップ等を実施して、処理に支障をきたさない範囲で各種機器のタイムスケジュールを調整し、昼間に集中していた電力使用量を平準化することによって、廃棄物処理施設の電力費をさらに低減することも可能である。
【００３０】
また、上記実施の形態においては、自家発電による電気エネルギーをその発生時に設備内で使用するようにしたが、例えば、燃料電池等に蓄電して他の時間帯に使用したり、電気エネルギーの余剰分を売電したりすることも可能である。
また、上記実施の形態においては、バイオガスを用いて発電を行う発電時間帯（つまり、発電開始時刻と発電終了時刻）を予め設定する構成としたが、例えば、発電開始時刻のみを設定し、ガスホルダ３内のバイオガスの貯留量が所定量以下となった時点で、バイオガスを用いた発電を終了させる構成とすることも可能である。このようにバイオガスや重油等の燃料使用量割合や発電装置の運転時間等を調整することによって、数多くの発電パターンが考えられ、実施にあたっては、経済性や地域性を十分考慮して、最適な発電パターンを検討することが大切である。
【００３１】
【実施例】
本発明の電力費低減方法を実施例により具体的に説明する。
［実施例１］
廃棄物処理施設の処理規模を、し尿６０ｋｌ／日、浄化槽汚泥４０ｋｌ／日、生ゴミ１０ｔ／日とした。この場合、メタン発酵槽２で発生するバイオガスの量が約２，２００ｍ３（Ｎ）／日となった。
また、バイオガス利用設備１における発電装置５の駆動装置５Ａとして、４サイクル水冷式７００ｋＷ用の複合燃料ガスエンジンを用い、発電機５Ｂとして三相交流発電機を用いた。
【００３２】
そして、この発電装置５を稼働させる発電時間帯を、１日の中で電力料金が相対的に高く電力使用量がピークとなる昼間の約８時間（９時〜１７時）とし、燃料に、メタン発酵槽２から得られたバイオガス２，２００ｍ３（Ｎ）／８ｈ＝２７５ｍ３（Ｎ）／ｈとＡ重油３０ｌ／ｈを使用した。発電効率を２５％とした場合、図２に示すように、自家発電量が１時間あたり約５００ｋＷ・ｈとなり、９時〜１７時における買電量が１時間あたり約１５０ｋＷ・ｈ、１７時〜９時における買電量が１時間あたり４５０ｋＷ・ｈとなった。その結果、１日の中で電力料金が相対的に安い夜間および深夜に買電量の比重が高まり、買電量の平均単価を引き下げることができた。
【００３３】
［実施例２］
廃棄物処理施設の処理規模を、上記実施例１と同様、し尿６０ｋｌ／日、浄化槽汚泥４０ｋｌ／日、生ゴミ１０ｔ／日とした。
また、バイオガス利用設備１における発電装置５の駆動装置５Ａとして、バイオガスを燃料とする４サイクル水冷式２００ｋＷ用のガスエンジンと、Ａ重油を燃料とする４サイクル水冷式２００ｋＷ用のディーゼルエンジンとを併用した。
【００３４】
そして、この発電装置５を稼働させる発電時間帯を、１日の中で電力料金が相対的に安い深夜を除く約１６時間（６時〜２２時）とし、ガスエンジンの燃料に、メタン発酵槽２から得られたバイオガス２，２００ｍ３（Ｎ）／１６ｈ＝１３７ｍ３（Ｎ）／ｈを使用し、ディーゼルエンジンの燃料にＡ重油４５ｌ／ｈを使用した。ガスエンジンによる発電効率を２５％、ディーゼルエンジンによる発電効率を３５％とした場合、図３に示すように、自家発電量が両方合計して１時間あたり約４００ｋＷ・ｈとなり、９時〜１７時における買電量が１時間あたり約２５０ｋＷ・ｈ、６時〜９時および１７時〜２２時における買電量が１時間あたり約５０ｋＷ・ｈ、２２時〜６時における買電量が１時間あたり４５０ｋＷ・ｈとなった。その結果、１日の中で電力料金が特に安い深夜に買電量の比重が高まり、買電量の平均単価を引き下げることができた。
【００３５】
［実施例３］
ガスエンジンを稼働させる発電時間帯を、上記実施例２と同様、１日の中で電力料金が相対的に安い深夜を除く約１６時間（６時〜２２時）とし、ディーゼルエンジンを稼働させる発電時間帯を、１日の中で電力使用量がピークとなる昼間の約８時間（９時〜１７時）のみとした。
その他の条件を上記実施例２と同じ条件とした場合、図４に示すように、６時〜９時および１７時〜２２時における自家発電量が１時間あたり約２００ｋＷ・ｈ、９時〜１７時における自家発電量が１時間あたり約４００ｋＷ・ｈとなり、６時〜２２時における買電量が１時間あたり約２５０ｋＷ・ｈ、２２時〜６時における買電量が１時間あたり４５０ｋＷ・ｈとなった。この場合にも、１日の中で電力料金が特に安い深夜に買電量の比重が高まり、買電量の平均単価を引き下げることができた。
【００３６】
【発明の効果】
以上説明したように、請求項１〜３のいずれかに記載の本発明に係るバイオガス利用設備によれば、有機性廃棄物をメタン発酵させてバイオガスを発生させ、このバイオガスを用いて効率よく発電するので、有機性廃棄物のさらなる有効利用を図ることができる。
しかも、メタン発酵槽で発生したバイオガスをガスホルダ内に貯留する一方、バイオガスを用いた発電時に、ガスホルダ内のバイオガスを発電装置に供給するようにしたので、メタン発酵槽で発生したバイオガスを使用して自家発電を行う時間帯を適宜調整することができ、電力料金の料金体系に基づいて発電時間帯を調整することによって、電力費を低減することができる。
【００３７】
請求項２または３に記載の発明によれば、発電装置による自家発電量を適宜調整することが可能になる。したがって、廃棄物処理量の変動に対応して増減するバイオガスの発生量に影響を受けることなく、安定した発電量を確保することができる。また、停電時等の非常時や緊急時においても、当該廃棄物処理施設内の各種機器に最低限必要な電力を供給し続けることができる。
請求項４または５に記載の発明によれば、ガスエンジンを２４時間連続稼働させて常に一定量の自家発電を行う従来の方法と比べて、買電量の平均単価を引き下げることができ、廃棄物処理施設における電力費を低減することができる。
【図面の簡単な説明】
【図１】本発明に係るバイオガス利用設備の一実施形態を示す概略構成図である。
【図２】本発明を適用した実施例１における電力使用量と自家発電量との関係を示すグラフである。
【図３】本発明を適用した実施例２における電力使用量と自家発電量との関係を示すグラフである。
【図４】本発明を適用した実施例３における電力使用量と自家発電量との関係を示すグラフである。
【図５】従来の廃棄物処理施設における電力使用量と自家発電量との関係を示すグラフである。
【符号の説明】
１　　バイオガス利用設備
２　　メタン発酵槽
３　　ガスホルダ
５　　発電装置
５Ａ　駆動装置
５Ｂ　発電機
【図１】
2004011513.tif 000003
【図２】
2004011513.tif 000004
【図３】
2004011513.tif 000005
【図４】
2004011513.tif 000006
【図５】
2004011513.tif 000007